(57)【要約】【課題】  光ピックアップのガイド装置において、板金製のフレームの端縁レール部を副軸として用いる場合に、シャーシにフレームを容易に取り付けることができ、しかも、フレームの端縁レール部の前後方向の傾角調整を容易に行うことができるようにする。【解決手段】  光ピックアップの移動を案内する主軸と副軸とを備える。副軸を、シャーシ６に取り付けた板金製フレーム７の端縁レール部７１によって構成する。フレーム７をシャーシ６に取り付けるための取付構造が、係合機構と、ばね体９１と、調整ねじ９２とを有している。シャーシ６に、フレーム仮固定用の係止爪６４を設ける。【選択図】        図１
2008135095.tif 000002
【特許請求の範囲】
【請求項１】
光ピックアップの移動を直線経路上で案内する主軸と副軸とを備え、それらの主軸と副軸とが樹脂成形体でなるシャーシに備わっている光ピックアップのガイド装置において、
上記副軸が、上記シャーシに取り付けられた板金製フレームの端縁レール部によって構成され、そのフレームが当該フレームの姿勢を調整する機能を備える取付構造を介して上記シャーシに取り付けられ、
その取付構造が、上記フレームにおける端縁レール部の反対側端部に具備された係止片と上記シャーシに具備されて上記係止片が挿入されて係止される門形の係止口部との共働による係合機構と、上記シャーシと上記フレームとの間に介在されて上記係止片を上記係止口部に弾圧して係止させるばね体と、上記シャーシのねじ挿入孔に挿入されて上記フレームのねじ孔にねじ込み量調節自在にねじ込まれることにより上記ばね体の付勢によって上記端縁レール部が押し上げられることを阻止する調整ねじと、を備えていると共に、上記係止片が、上記ばね体の付勢により上記係止口部に弾圧して係止される主部とこの主部に曲成されていて上記係止口部の側面に係合される抜止め部とを有し、
上記調整ねじが、上記光ピックアップの移動方向に間隔を隔てた２箇所に配備されていて、それら２箇所の調整ねじのねじ込み量を個別に調節可能としてあり、
上記シャーシから立ち上げられた突出片が上記フレームに開設された開口を挿通していると共に、その突出片の先端に、上記開口の口縁に係合することによって、上記係止口部に係止された上記係止片を有する上記フレームが上記ばね体の付勢によって押し上げられたときの押上げ幅を規制する係止爪が備わっていることを特徴とする光ピックアップのガイド装置。
【請求項２】
光ピックアップの移動を直線経路上で案内する主軸と副軸とを備え、それらの主軸と副軸とが樹脂成形体でなるシャーシに備わっている光ピックアップのガイド装置において、
上記副軸が、上記シャーシに取り付けられた板金製フレームの端縁レール部によって構成され、そのフレームが当該フレームの姿勢を調整する機能を備える取付構造を介して上記シャーシに取り付けられていることを特徴とする光ピックアップのガイド装置。
【請求項３】
上記取付構造が、上記フレームにおける端縁レール部の反対側端部に具備された係止片と上記シャーシに具備されて上記係止片が挿入されて係止される係止口部との共働による係合機構と、上記シャーシと上記フレームとの間に介在されて上記係止片を上記係止口部に弾圧して係止させるばね体と、上記シャーシのねじ挿入孔に挿入されて上記フレームのねじ孔にねじ込み量調節自在にねじ込まれることにより上記ばね体の付勢によって上記端縁レール部が押し上げられることを阻止する調整ねじと、を備えている請求項２に記載した光ピックアップのガイド装置。
【請求項４】
上記調整ねじが、上記光ピックアップの移動方向に間隔を隔てた２箇所に配備されていて、それら２箇所の調整ねじのねじ込み量を個別に調節可能としてある請求項３に記載した光ピックアップのガイド装置。
【請求項５】
上記シャーシから立ち上げられた突出片が上記フレームに開設された開口を挿通していると共に、その突出片の先端に、上記開口の口縁に係合することによって、上記係止口部に係止された上記係止片を有する上記フレームが上記ばね体の付勢によって押し上げられたときの押上げ幅を規制する係止爪が備わっている請求項４に記載した光ピックアップのガイド装置。
【発明の詳細な説明】
【技術分野】
【０００１】
本発明は、光ピックアップのガイド装置、特に、光ピックアップの移動を直線経路上で案内する主軸と副軸とを備え、それらの主軸と副軸とが樹脂成形体でなるシャーシに備わっている光ピックアップのガイド装置に関する。
【背景技術】
【０００２】
この種のガイド装置の構成例を図５に概略平面図で示してある。同図のガイド装置は、シャーシ１に取り付けられた金属製のロッドでなる主軸２と副軸３とを備えていて、光ピックアップ４がそれらの主軸２と副軸３とにより案内されて直線経路Ａ上を前後に移動するようになっている。なお、シャーシ１には光ディスクを回転させるためのターンテーブル５も備わっている。
【０００３】
図５のガイド装置において、主軸２は光ピックアップ４を円滑移動させることに主に役立ち、副軸３は光ピックアップ４の移動中の揺れ動きなどを抑えることに主に役立っていて、同図の事例では、副軸３には、主軸２に用いられているものと同様の金属製のロッドが採用されている。また、副軸３の両端が個別にシャーシ１に調整ねじ３１，３２などを介して取り付けられていて、これらの調整ねじ３１，３２のねじ込み量を個別に調節することによって、主軸２に対する副軸の３の姿勢、すなわち光ピックアップ４の移動方向である前後方向の傾角を調整することができるようになっている。
【０００４】
一方、主軸と副軸とを備えるガイド装置にあっては、副軸をシャーシの端縁によって構成することが知られている（たとえば、特許文献１、特許文献２参照）。このものを図６に概略斜視図によって例示してある。同図のガイド装置では、シャーシ１に形成されている開口のまっすぐな辺部１１を副軸として用いていて、光ピックアップ４には、その辺部１１に摺動自在に係合された凹入状の被ガイド溝部４１が備わっている。
【０００５】
また、シャーシにビス止めした板金製のガイド部材を副軸として構成した光学ピックアップの送り装置についての提案もある（たとえば、特許文献３参照）。
【特許文献１】実開平４−４９３２０号広報（第１図、第７図）
【特許文献２】特開２００２−５００５５号公報（図２、図１３）
【特許文献３】特開平７−２３５０６３号公報（００１９、図１）
【発明の開示】
【発明が解決しようとする課題】
【０００６】
図５を参照して説明したガイド装置のように、副軸３に金属製のロッドを用いると、そのロッドが高価であることなどによりガイド装置全体が高くつく。
【０００７】
この点に関し、図６を参照して説明したように、シャーシの端縁である辺部１１を副軸として利用すると、高価な上記ロッドが不要になるけれども、主軸に対する副軸としての辺部１１の姿勢（前後方向の傾角）を調整するために、シャーシ１全体の姿勢を調整することが必要になり、そのような姿勢調整のための構造が複雑になるだけでなく、姿勢調整のための操作にも高度の技術が必要になるおそれが大きい。また、シャーシ１を板金でなく、樹脂成形体で製作することを要するときには、副軸として用いれる辺部１１の摩耗によるガイド性能の低下が懸念される。
【０００８】
そこで、本発明は、副軸を高価な金属製のロッドに代えて板金製のフレームの端縁レー部によって構成することを基本とし、その上で、そのフレームのシャーシに対する取付けを容易に行うことができ、かつ、そのフレームに備わっている端縁レール部の位置決めや前後方向の傾角の調整などを行うことのできる光ピックアップのガイド装置を提供することを目的とする。
【０００９】
さらに、本発明は、上記した端縁レール部の位置決めや前後方向の傾角の調整などを行う熟練を要図ことなく容易に行うことのできる光ピックアップのガイド装置を提供することを目的とする。
【課題を解決するための手段】
【００１０】
本発明に係る光ピックアップのガイド装置は、光ピックアップの移動を直線経路上で案内する主軸と副軸とを備え、それらの主軸と副軸とが樹脂成形体でなるシャーシに備わっている。そして、上記副軸が、上記シャーシに取り付けられた板金製フレームの端縁レール部によって構成され、そのフレームが当該フレームの姿勢を調整する機能を備える取付構造を介して上記シャーシに取り付けられている。
【００１１】
この構成を採用することにより、図５を参照して説明した副軸３としての高価な金属製のロッドを、シャーシに取り付けられた板金製フレームの端縁レール部によって置き換えることができるようになり、その結果、ガイド装置全体を安価に提供することが可能になる。また、フレームが、当該フレームの姿勢を調整する機能を備える取付構造を介して上記シャーシに取り付けられていることにより、その取付構造の機能によって、主軸に対する上記端縁レール部の姿勢を調整することが可能である。この場合の姿勢調整は、シャーシ全体の姿勢を調整するものではなく、シャーシに取り付けられたフレームに対してだけ行えば済むので、それだけ姿勢調整が容易である。
【００１２】
本発明では、上記取付構造が、上記フレームにおける端縁レール部の反対側端部に具備された係止片と上記シャーシに具備されて上記係止片が挿入されて係止される係止口部との共働による係合機構と、上記シャーシと上記フレームとの間に介在されて上記係止片を上記係止口部に弾圧して係止させるばね体と、上記シャーシのねじ挿入孔に挿入されて上記フレームのねじ孔にねじ込み量調節自在にねじ込まれることにより上記ばね体の付勢によって上記端縁レール部が押し上げられることを阻止する調整ねじと、を備えていることが望ましい。これによれば、調整ねじを回転させてフレームのねじ孔に対するねじ込み量を増減調整するだけの簡単な操作を通じて主軸に対するフレームの端縁レール部の姿勢、すなわち前後方向の傾角を調整することができる。
【００１３】
本発明では、上記調整ねじが、上記光ピックアップの移動方向に間隔を隔てた２箇所に配備されていて、それら２箇所の調整ねじのねじ込み量を個別に調節可能としてあることが望ましい。これによれば、２箇所の調整ねじのねじ込み量を個別に調節することによって、フレームの端縁レール部の一端側を上下させたり他端側を上下させたりしてその前後方向の傾角を高精度に調整することが可能になる。
【００１４】
本発明では、上記シャーシから立ち上げられた突出片が上記フレームに開設された開口を挿通していると共に、その突出片の先端に、上記開口の口縁に係合することによって、上記係止口部に係止された上記係止片を有する上記フレームが上記ばね体の付勢によって押し上げられたときの押上げ幅を規制する係止爪が備わっていることが望ましい。これによれば、フレームをシャーシに取り付ける工程の初期に、ばね体の付勢によって押し上げられたフレームを係止爪の作用によって仮固定させることができるので、そうすることによってその工程中にばね体が飛び跳ねて紛失してしまったりするおそれが少なくなる。
【００１５】
本発明に係る光ピックアップのガイド装置は、光ピックアップの移動を直線経路上で案内する主軸と副軸とを備え、それらの主軸と副軸とが樹脂成形体でなるシャーシに備わっている光ピックアップのガイド装置において、上記副軸が、上記シャーシに取り付けられた板金製フレームの端縁レール部によって構成され、そのフレームが当該フレームの姿勢を調整する機能を備える取付構造を介して上記シャーシに取り付けられ、その取付構造が、上記フレームにおける端縁レール部の反対側端部に具備された係止片と上記シャーシに具備されて上記係止片が挿入されて係止される門形の係止口部との共働による係合機構と、上記シャーシと上記フレームとの間に介在されて上記係止片を上記係止口部に弾圧して係止させるばね体と、上記シャーシのねじ挿入孔に挿入されて上記フレームのねじ孔にねじ込み量調節自在にねじ込まれることにより上記ばね体の付勢によって上記端縁レール部が押し上げられることを阻止する調整ねじと、を備えていると共に、上記係止片が、上記ばね体の付勢により上記係止口部に弾圧して係止される主部とこの主部に曲成されていて上記係止口部の側面に係合される抜止め部とを有し、上記調整ねじが、上記光ピックアップの移動方向に間隔を隔てた２箇所に配備されていて、それら２箇所の調整ねじのねじ込み量を個別に調節可能としてあり、上記シャーシから立ち上げられた突出片が上記フレームに開設された開口を挿通していると共に、その突出片の先端に、上記開口の口縁に係合することによって、上記係止口部に係止された上記係止片を有する上記フレームが上記ばね体の付勢によって押し上げられたときの押上げ幅を規制する係止爪が備わっている、という構成を採用することによっていっそう具体化される。この発明の作用などについては、後述する実施形態を参照して詳細に説明する。
【発明の効果】
【００１６】
以上のように、本発明によれば、高価な金属製のロッドに代えて板金製のフレームの端縁レール部を副軸として用いる場合に、シャーシに対してフレームを容易に取り付けることができ、しかも、主軸に対する副軸の姿勢の調整を容易に行うことができるという効果が奏される。
【発明を実施するための最良の形態】
【００１７】
図１は本発明に係るガイド装置の要部を概略で示した平面図、図２は図１のＩＩ−ＩＩ線に沿う部分の縦断側面図、図３はフレーム７の縦断側面図、図４はフレーム取付工程の説明図である。
【００１８】
図１において、６は樹脂成形体でなるシャーシであって、このシャーシ６には、図示していない主軸やターンテーブルなどが備わっているほか、板金製のフレーム７が取り付けられていて、そのフレーム７に具備された前後方向に延びるまっすぐな端縁レール部７１を副軸として構成してある。したがって、図示していない光ピックアップが、図示していない主軸と副軸としての端縁レール部７１とにより直線経路上を案内されながら移動する。
【００１９】
図３のように、フレーム７には安価な薄肉の板金が用いられていて、その端縁レール部７１は、フレーム７の一端縁側を折り曲げることによって形成されたリブ部７１ａでなる。このように、曲成されたリブ部７１ａによって端縁レール部７１を形成するという手段を採用すると、フレーム７自体に安価な薄肉の板金を用いたとしても、図２に示した光ピックアップ８側に具備されている横向きの被ガイド溝部８１の溝幅寸法に見合って端縁レール部７１の厚さ寸法（リブ部の幅寸法）を容易に定めることができる。しかも、リブ部７１ａの折曲げ角度を増減させると端縁レール部７１の厚さも増減するので、上記した被ガイド溝部８１の溝幅寸法に見合って端縁レール部７１の厚さ寸法を合わせることが容易であるという利点も得られる。
【００２０】
また、図１によって判るように、フレーム７は、端縁レール部７１の反対側端部の長手方向中央に板片状の係止片７２を有していることに加え、係止片７２と端縁レール部７１との相互間に亘る平板部７５には、その長手方向中央に位置する矩形の開口７６と、その開口７６を挟む長手方向（前後方向）両側対称位置にねじ孔７７，７７及び当該平板部７５の裏面側に突き出たばね受部７８，７８が備わっている。さらに、図３のように、上記係止片７２は、上記平板部７５に連続する主部７３と、この主部７３に直角に曲成された片状の抜止め部７４とを備えている。
【００２１】
上記フレーム７は次に説明するフレームの姿勢を調整する機能を備える取付構造を介してシャーシ６に取り付けられている。図１及び図２を併せ見ることによって判るように、取付構造は、フレーム７の係止片７２とシャーシ６に具備されてその係止片７２が挿入されて係止されている門形の係止口部６１との共働による係合機構９と、シャーシ６とフレーム７との間に介在されて係止片７２の主部７３を係止口部６１に弾圧して係止させるコイルばねでなるばね体９１と、シャーシ６のねじ挿入孔６２に挿入されてフレーム７のねじ孔７７にねじ込み量調節自在にねじ込まれている調整ねじ９２とを備えている。そして、上記ばね体９１は、フレーム７の開口７６を挟む両側対称位置で、シャーシ６側に形成された環状溝でなるばね座６５とフレーム７側の上記ばね受部７８との間に位置ずれしないように介在されている。また、調整ねじ９２は、光ピックアップの移動方向（図５矢印Ａ参照）に間隔を隔てた２箇所に対称に配備されていて、フレーム７側のねじ孔７７，７７に対するそれら２箇所の調整ねじ９２，９２のねじ込み量を個別に調節することができるようになっている。また、調整ねじ９２がねじ孔７７にねじ込まれていることによって、係止口部６１に係止片７２が係合しているフレーム７の端縁レール部７１が、ばね体９１の付勢によって押し上げられることを阻止している。
【００２２】
シャーシ６に対するフレーム７の取付構造が上記の構成を有していると、ねじ孔７７，７７に対する調整ねじ９２，９２のねじ込み量を個別に増減調節することによって、フレーム７の一端側（前端側）を上げ下げしたり他端側（後端側）を上げ下げしたりして傾動させることが可能であり、そのような操作を通じて副軸としての端縁レール部７１の姿勢、すなわち前後方向の傾角を図示していない主軸に対して微調整することができる。係止片７２の抜止め部７４が門形の係止口部６１の側面に係合していることによって、フレーム７がその取付位置からずれて係止片７２が係止口部６１から抜け出てしまうという事態が起こらず、そのことがフレーム７の取付安定性を高めることに役立っている。
【００２３】
図１又は図２のように、この実施形態では、シャーシ６から立ち上げられた突出片６３がフレーム７側の開口７６を挿通していて、その突出片６３の先端に具備された係止爪６４が、上記開口７６の口縁７９に間隔を隔てて対峙している。そして、この係止爪６４は、係止口部６１に係止された係止片７２を有するフレーム７がばね体９１の付勢によって押し上げられたときに、上記開口７６の口縁７９に係止してばね体９１によるフレーム７の押上げ幅を規制する役割を果たす。したがって、図４に示したように、フレーム７をシャーシ６に取り付ける工程の初期には、シャーシ６側のばね座６５にあらかじめ載置したばね体９１の付勢によって押し上げられたフレーム７の係止片７２を係止口部６１に係止させると同時に、そのフレーム７の開口７６の口縁７９を係止爪６４にも係合させて仮固定させておくことができるので、その工程中にばね体９１が飛び跳ねて紛失してしまったりするおそれを少なくなる。なお、調節ねじ９２をフレーム７側のねじ孔７７にねじ込む作業は、図４に矢印Ｄで示したように、フレーム７の係止片７２を係止口部６１に係止させた状態からその係止箇所を支点としてばね体９１の付勢に抗してフレーム７の端縁レール部７１を押し下げた状態で行う。
【００２４】
図３に示したように、この実施形態では、フレーム７には、厚さＴが１ｍｍ程度の肉厚を有する入手が容易で安価な板金が用いられている。また、光ピックアップ８側の被ガイド溝部８１の溝幅が一般的に約３ｍｍに定められていることを考慮して、フレーム７側の端縁レール部７１としてのリブ部７１ａの垂直幅寸法Ｈを３ｍｍよりもやゝ短い寸法に定めてある。こうしておくことにより、副軸としての端縁レール部７１の厚さ寸法が、一般的に採用される被ガイド溝部８１の３ｍｍの溝幅に見合う寸法になる。
【図面の簡単な説明】
【００２５】
【図１】本発明に係るガイド装置の要部を概略で示した平面図である。
【図２】図１のＩＩ−ＩＩ線に沿う部分の縦断側面図である。
【図３】フレームの縦断側面図である。
【図４】フレーム取付工程の説明図である。
【図５】ガイド装置の従来の構成例を示した概略平面図である。
【図６】特許文献１又は特許文献２に示されているものの概略斜視図である。
【符号の説明】
【００２６】
Ａ  直線経路
２  主軸
６  シャーシ
７  フレーム
８  光ピックアップ
９  係合機構
６１  係止口部
６２  ねじ挿入孔
６３  突出片
６４  係止爪
７１  端縁レール部
７２  係止片
７３  主部
７４  抜止め部
７６  開口
７７  ねじ孔
８１  被ガイド溝部
９１  ばね体
９２  調整ねじ
【図１】
2008135095.tif 000003
【図２】
2008135095.tif 000004
【図３】
2008135095.tif 000005
【図４】
2008135095.tif 000006
【図５】
2008135095.tif 000007
【図６】
2008135095.tif 000008